(57)【要約】【課題】新しい種類の光記録媒体と当該光記録媒体にアクセスするための装置とを提供する。【解決手段】二重経路光記録媒体およびこれにアクセスするための装置を開示する。該二重経路光記録媒体は、基材、中間記録層、ホログラフィック記録層、およびダイクロイック・ミラー層を含む。該中間記録層は、相対的に小さな記憶容量の書換え型データ記憶層である。該ホログラフィック記録層は、相対的に大きな記憶容量の追記型データ記憶層である。該ダイクロイック・ミラー層は、ホログラフィック記録層と中間記録層との間に配置される。二重経路光記録媒体にアクセスするための装置は、第一レーザー光を発生する能力を有する第一光モジュール、および第二レーザー光を発生する能力を有する第二光モジュールを含む。【選択図】図１
2010524145.tif 000002
【特許請求の範囲】
【請求項１】
基材と、
前記基材の一つの面にスタンプされ、ランドおよび溝を備える中間記録層と、
ホログラフィック記録層と、
前記ホログラフィック記録層と前記中間記録層との間に配置されたダイクロイック・ミラー層と、
を含む二重経路光記録媒体であって、
前記中間記録層は、比較的に小さな記憶容量の書換え型データ記憶層であり、
前記ホログラフィック記録層は、比較的に大きな記憶容量の追記型データ記憶層である、
前記記録媒体。
【請求項２】
ｉ）  データは、前記ホログラフィック記録層の中に、ホログラムの形態で書込まれる、
ｉｉ）  データは、約４０５ｎｍまたは５２３ｎｍの波長を有する第一レーザー光によって、前記ホログラフィック記録層に書込むことができる、または
ｉｉｉ）  データは、約６８０ｎｍの波長を有する第二レーザー光によって、前記中間記録層に書込むことができる、
の一つ以上を満たす、請求項１に記載の記録媒体。
【請求項３】
前記中間記録層は、ホログラム・セグメントを格納するための複数のオープン・ホログラム・セグメントを含む、請求項１または２に記載の記録媒体。
【請求項４】
前記中間記録層は、オープンとなっているホログラム・セグメントを追跡記録するためのオープン・ホログラム・セグメント・ディレクトリを含み、前記中間記録層は、随意的に、前記オープン・ホログラム・セグメントの任意のセグメントの閉鎖を指定する基準を格納するためのモジュールを含む、請求項３に記載の記録媒体。
【請求項５】
前記ホログラフィック記録層は、前記オープン・ホログラム・セグメントが閉鎖された後にそれらを格納するための複数の閉鎖ホログラム・セグメントを含む、請求項３に記載の記録媒体。
【請求項６】
前記ホログラフィック記録層は、前記オープン・ホログラム・セグメント・ディレクトリが閉鎖された後それを格納するための、閉鎖ホログラム・セグメント・ディレクトリを含む、請求項４に記載の記録媒体。
【請求項７】
二重経路光記録媒体にアクセスするための装置であって、
第一論理ユニット番号（ＬＵＮ）インタフェースおよび第二ＬＵＮインタフェースと、
第一レーザー光を発生させるための、前記第一ＬＵＮインタフェースに連結された第一光モジュールと、
第二レーザー光を発生させるための、前記第二ＬＵＮインタフェースに連結された第二光モジュールと、
を含む、前記装置。
【請求項８】
ｉ）前記第一レーザー光は、約４０５ｎｍまたは５３２ｎｍの波長を有する、
ｉｉ）前記第二レーザー光は、約６８０ｎｍの波長を有する、または
ｉｉｉ）前記第一および第二光モジュールは、共通のスレッドに配置されている、
の一つを満たす、請求項７に記載の装置。
【請求項９】
前記装置は、前記第一および第二レーザー・モジュール間の通信を可能にするため、前記第一光モジュールと第二光モジュールと間に接続された層間ブリッジをさらに含む、請求項７または８に記載の装置。
【請求項１０】
前記二重経路光記録媒体は、
基材と、
前記基材の一つの面に配置され、前記第二レーザー光にアクセスされる中間記録層と、
前記第一レーザー光にアクセスされるホログラフィック記録層と、
を含む、請求項９に記載の装置。
【請求項１１】
ｉ）  前記二重経路光記録媒体は、前記ホログラフィック記録層と前記中間記録層との間に配置されたダイクロイック・ミラー層をさらに含む、
ｉｉ）  前記中間記録層は、比較的に小さな記憶容量の書換え型データ記憶層である、
ｉｉｉ）  前記ホログラフィック記録層は、比較的に大きな記憶容量の追記型データ記憶層である、または
ｉｖ）  前記層間ブリッジは、データを、前記二重経路光媒体の一つの記録層から別の記録層に、ホスト・コンピュータを経ることなく直接転送できるようにする、
の一つ以上を満たす、請求項１０に記載の装置。
【請求項１２】
ホスト・コンピュータと、
二重経路光記録媒体にアクセスするためのドライブと、
を含むデータ記録システムであって、
前記ドライブは、
第一論理ユニット番号（ＬＵＮ）インタフェースおよび第二ＬＵＮインタフェースと、
前記第一ＬＵＮインタフェースを介して前記ホストに連結されている第一光モジュールと、
前記第二ＬＵＮインタフェースを介して前記ホストに連結されている第二光モジュールと、
を含み、前記第一光モジュールは第一レーザー光を発生させ、前記第二光モジュールは第二レーザー光を発生させる、
前記データ記録システム。
【請求項１３】
ｉ）前記第一レーザー光は、約４０５ｎｍまたは５３２ｎｍの波長を有する、
ｉｉ）前記第二レーザー光は、約６８０ｎｍの波長を有する、
ｉｉｉ）前記第一および第二光モジュールは、共通のスレッドに配置されている、または
ｉｖ）  前記ドライブは、前記第一および第二光モジュール間の通信を可能にするため、前記第一レーザー・モジュールと第二レーザー・モジュールとの間に配置された層間ブリッジをさらに含む、
の一つ以上を満たす、請求項１２に記載のデータ記録システム。
【請求項１４】
前記二重経路光記録媒体は、
基材と、
前記基材の一つの面に配置され、前記第二レーザー光にアクセスされる中間記録層と、
前記第一レーザー光にアクセスされるホログラフィック記録層と、
を含む、請求項１２に記載のデータ記録システム。
【請求項１５】
ｉ）  前記二重経路光記録媒体は、前記ホログラフィック記録層と前記中間記録層との間に配置されたダイクロイック・ミラー層をさらに含む、
ｉｉ）  前記中間記録層は、比較的に小さな記憶容量の書換え型データ記憶層であり、前記ホログラフィック記録層は、比較的に大きな記憶容量の追記型データ記憶層である、または
ｉｉｉ）  前記層間ブリッジは、データを、前記ホログラフィック記録層と前記中間記録層との間で、前記ホスト・コンピュータを経ることなく直接転送できるようにする、
の一つ以上を満たす、請求項１４に記載のデータ記録システム。
【発明の詳細な説明】
【技術分野】
【０００１】
本発明は、概して光記録媒体に関し、より具体的には二重経路光記録媒体に関する。さらに詳しくは、本発明は二重経路光記録媒体にアクセスするための方法および装置に関する。
【背景技術】
【０００２】
近年、テキスト、グラフィック、および音声を含むさまざまな種類のデータを格納するための、大記憶容量を有する光学記録媒体が開発されてきた。光学記録媒体は、典型的には、データの記録または読出しが行われる際にトラックに沿ってレーザー・ビームを照射することが可能な、渦巻状または同心状のトラックを備えている。トラックは、情報を記録するための最小単位となる複数のセクタにさらに分割されている。
【０００３】
データは、デジタル多用途ディスク（ＤＶＤ：Ｄｉｇｉｔａｌ Ｖｅｒｓａｔｉｌｅ Ｄｉｓｋ）技術を使い、データが記録されるトラック上に照射されるレーザー・ビームの強度を変調する光変調記録法を介して、光記録媒体に記録することができる。光記録媒体には、相変化型光ディスク、有機顔料型光ディスク、光磁気ディスク、ホログラフィック媒体など多くの種類がある。
【発明の概要】
【発明が解決しようとする課題】
【０００４】
本発明の開示は、新しい種類の光記録媒体と当該光記録媒体にアクセスするための装置とを提供するものである。
【課題を解決するための手段】
【０００５】
本発明の好適な実施形態によれば、二重経路光記録媒体は、基材、中間記録層、ホログラフィック記録層、およびダイクロイック・ミラー層を含む。中間記録層は、基材の片面にスタンプされランドと溝とを備え、比較的に小さな記憶容量の書換え型データ記憶層である。ホログラフィック記録層は、望ましくは、比較的に大きな記憶容量の追記型データ記憶層であるが、書換え型とすることもできる。ダイクロイック・ミラー層は、ホログラフィック記録層と中間記録層との間に配置される。
【０００６】
データは、ホログラムの形態でホログラフィック記録層に書込まれる。データは、約４０５ｎｍまたは５３２ｎｍの波長を有する第一レーザー光によって、ホログラフィック記録層に書込むことができる。ダイクロイック・ミラー層は、第一レーザー光を反射する。データは、約６８０ｎｍの波長を有する第二レーザー光を使って中間記録層に書込むことができる。中間記録層は、ホログラム・セグメントを格納するための複数のオープン・ホログラム・セグメントを含む。中間記録層は、オープンとなっているホログラム・セグメントを追跡記録するための、オープン・ホログラム・セグメント・ディレクトリを含む。中間記録層は、オープン・ホログラム・セグメントのいずれかの閉鎖を指定する基準を格納するためのモジュールを含む。
【０００７】
二重経路光記録媒体にアクセスするためのデータ記録システムは、ホストと、第一論理ユニット番号（ＬＵＮ：ｌｏｇｉｃａｌ ｕｎｉｔ ｎｕｍｂｅｒ）インタフェースと、第二ＬＵＮインタフェースと、第一光モジュールと、第二光モジュールとを含む。第一光モジュールは第一レーザー光を発生させることができ、第一ＬＵＮインタフェースを介してホストと連結されている。第二光モジュールは第二レーザー光を発生させることができ、第二ＬＵＮインタフェースを介してホストと連結されている。
【０００８】
本発明の全ての特質および利点は、以下の詳細な書面説明から明らかになろう。本発明自体、並びに好適な使用モードとそのさらなる目的および利点とは、以下の例示的実施形態の詳細説明を参照し、添付の図面と併せ読むことによって最善に理解されるであろう。
【図面の簡単な説明】
【０００９】
【図１】本発明の好適な実施形態による、二重経路光記録媒体の断面図である。
【図２】本発明の好適な実施形態による、図1の光記録媒体にデータを書込み、該媒体からデータを読取ることができるデータ記録システムのブロック図である。
【図３】本発明の好適な実施形態による、図1の光記録媒体内のさまざまな構成要素の詳細ブロック図である。
【発明を実施するための形態】
【００１０】
ここで図を参照し具体的には図1を見ると、本発明の好適な実施形態による、二重経路光記録媒体の断面図が描かれている。図示されているように、二重経路光記録媒体１００は、基材１１４、中間記録層１１８、ギャップ層１１２、ダイクロイック・ミラー層１１０、ギャップ層１０８、ホログラフィック記録層１０４、および透明なカバー層１０２を含む。ホログラフィック記録層１０４と中間記録層１１８とは、光記録媒体１００の２つの別個の記録層である。ホログラフィック記録層１０４は、望ましくは、比較的に大きな記憶容量の追記型データ記憶層であるが、書換え型とすることもできる。これに対し、中間記録層１１８は、比較的に小さな記憶容量を有する書換え型データ記憶層である。中間記録層１１８は、従来型のデジタル多用途ディスク（ＤＶＤ）によく使われる相変化物質でコートされており、基材１１４の一つの面にスタンプされ、ランドと溝とを形成している。
【００１１】
データは、４０５ｎｍ（青色）または５３２ｎｍ（緑色）の波長を有する第一レーザー光１２１によって、ホログラム１０６などのホログラムの形態でホログラフィック記録層１０４中に書込むことができる。ダイクロイック・ミラー層１１０は、第一レーザー光１２１を選択的に反射し、第一レーザー光１２１が中間記録層１１８に到達しないようにする。当技術分野で周知のように、ホログラフィ書込み技術では、レーザー光ビームは、データ・ビームと基準ビームとの２つの部分に分割される。データ・ビームは、空間光変調器を介してデータを使って符号化され、符号化されたデータ・ビームは、基準ビームと干渉し干渉パターンを生成して、これがホログラムとして光記録媒体に格納される。この後、該ホログラムは、空間光変調器の必要なく、基準ビームだけを使ってホログラムを照射して読取ることができる。単純化のため、図１では、基準ビームを第一レーザー光１２１として示す。
【００１２】
他方、ダイクロイック・ミラー層１１０は、６８０ｎｍの波長（これは、従来型のＤＶＤにデータを書込むレーザー光の波長と同じである）を有する第二レーザー光１２２を選択的に透過させる。しかして、第二レーザー光１２２は、ダイクロイック・ミラー層１１０を通り抜けて中間記録層１１８にデータを書込む（またはこれから読取る）ことができる。
【００１３】
さらに、中間記録層１１８は反射性であり、第二レーザー光１２２をホログラフィック・ディスク・ドライブ（図示せず）に返し反射することができる。また、第二レーザー光１２２を、中間記録層１１８のランドと溝とを使ってサーボ・レーザーとして用い、ホログラフィック記録層１０４中の、ホログラム１０６などのホログラムの書込みまたは読取りの過程で、ホログラフィック・ディスク・ドライブのサーボがデータ追跡するのを助力することもできる。図１は、Ｚ軸の周りを回転する光記録媒体１００の横断説明図であって、中間記録層１１８のランドおよび溝は、Ｚ軸を周回しないしはこれと同心である。
【００１４】
次に図２を参照すると、本発明の好適な実施形態による、光記録媒体１００にデータを書込み、該媒体からデータを読取ることができるデータ記録システムのブロック図が示されている。図示されているように、データ記録システム２００は、ホスト・ディスク２０２を備えたホスト２０１、第一論理ユニット番号（ＬＵＮ）インタフェース１４１、第二ＬＵＮインタフェース１４２、第一レーザー光モジュール１３１、および第二レーザー光モジュール１３２を含む。第一レーザー光モジュール１３１および第二レーザー光モジュール１３２は両方とも共通スレッド（探索メカニズム）１５０に配置されている。第一レーザー光モジュール１３１と第二レーザー光モジュール１３２とは、それぞれ第一ＬＵＮインタフェース１４１と第二ＬＵＮインタフェース１４２とを介してホスト２０１につながれている。第一レーザー光モジュール１３１は、ホログラフィック記録層１０４内の、ホログラム１０７などのホログラムへの書込み（または読取り）を行うための第一レーザー光１２１を備える。第二レーザー光モジュール１３２は、中間記録層１１８内へのデータの書込み（または読取り）を行うための第二レーザー光１２２を備える。
【００１５】
データは、ランダム・アクセスが必要となるデータ変更の頻度に基づいて、必要に応じ、中間記録層１１８からホログラフィック記録層１０４に移動することができる。第一レーザー光モジュール１３１と第二レーザー光モジュール１３２とは、層間ブリッジ１３３を介して相互に交信しているので、ホスト２０１を煩わすことなく、中間記録層１１８からデータを消去し、それをホログラフィック記録層１０４に書き換えることができる。
【００１６】
次いで、図３を参照すると、本発明の好適な実施形態による、光記録媒体１００内のさまざまな構成要素の詳細ブロック図が示されている。前述したように、光記録媒体１００は、ホログラフィック記録層１０４および中間記録層１１８を含む。ホスト２０１は、デステージ操作（ｄｅｓｔａｇｅｏｐｅｒａｔｉｏｎｓ）を使い、デステージ・バーチャル・トラック２０５を介して光記録媒体１００にデータを書込むことができる。デステージ操作は、ＳＣＳＩ書込みコマンド、ファイバ・チャネルを介したＳＣＳＩ書込みコマンド、ｉＳＣＳＩコマンド、ＧｂＥＮコマンド、または、他の任意の類似のデータ書込みコマンドとすることができる。ホスト２０１によってデステージされた任意のデータは、オープン・ホログラム・セグメント２１３の一つの中に書込む前に、中間記録層１１８内で随意に圧縮することができる。各新規のデステージ操作対象の圧縮されたまたは非圧縮のデータは、オープン・ホログラム・セグメント２１３の一つが完全に満たされるまで、前回のデステージ操作のデータの終端と端を合わせて格納される。オープン・ホログラム・セグメント２１３の一つのサイズは、望ましくは、ホログラフィック記録層１０４内に格納されたホログラムのサイズと同じか、あるいはホログラフィック記録層１０４内のホログラム・ページの整数倍と同一である。
【００１７】
中間記録層１１８は、ホログラフィック記録層１０４のため一時的ベースでデータを格納するキャッシュ・メモリとして使うことができる。但し、ホログラフィック記録層１０４に最終的に格納されることになっている一切のデータは、結局は、ユーザが選択可能な一組の基準２１４に従って中間記録層１１８からホログラフィック記録層１０４に移行される。
【００１８】
中間記録層１１８からホログラフィック記録層１０４へのデータの転送は、該データが転送された後、ホスト・ディスク２０２内の閉鎖ホログラフィック・セグメント・ディレクトリ２０３を更新することによって、ホスト２０１に登録することができる（これにより、ホスト２０１は何処に対象データがあるかを知る）。
【００１９】
オープン・ホログラム・セグメント２１３の各々に対し、中間記録層１１８中にオープン・ホログラム・セグメント・ディレクトリ２１２が維持される。オープン・ホログラム・セグメント・ディレクトリ２１２は、オープン・ホログラム・セグメント２１３中にどのトラックが格納されているかを記録する。オープン・ホログラフィック２１２およびオープン・ホログラム・セグメント２１３が閉鎖されると、次に、閉鎖ホログラム・セグメント・ディレクトリ２２２および閉鎖ホログラム・セグメント２２３の両方が、ホログラフィック記録層１０４と中間記録層１１８との間の通信経路として機能する層間ブリッジ１３３を通して、ホログラフィック記録層１０４に書込まれる。また、閉鎖ホログラフィック・ディレクトリ２２２は、ホスト・ディスク２０２上の閉鎖ホログラフィック・ディレクトリ２０３にも格納され、ホスト２０１は、これにより閉鎖ホログラフィック・セグメント２２３のそれぞれがどこにあるかを知る。
【００２０】
基準２１４に従って任意のオープン・ホログラフィック・セグメント２１３を閉鎖することができる。基準２１４の下のホログラム・セグメント閉鎖の処置には、以下のようなパラメータを含めることができる。
【００２１】
Ｉ．  ホログラム・セグメントをオープンにしておける最大限時間
ホログラム・セグメントのオープン時間は、中間記録層１１８に最初のデータが書込まれた時から開始される。最大限時間は超えていないが、オープン・ホログラム・セグメント２１３が満杯になった場合、そのホログラム・セグメントを閉鎖し、層間ブリッジ１３３を介して、中間記録層１１８からホログラフィック記録層１０４に書込むことができる。最大限時間を超過したがオープン・ホログラム・セグメント２１３が、セグメント容量限界まで満たされていない場合、残りのスペースを埋め草パターン（すなわち非データ・パターン）で満たし、しかる後、該ホログラム・セグメントを閉鎖してデータをホログラフィック記録層１０４に書込むことができる。埋め草パターンを有する一切のホログラム・セグメントは、ホスト・ディスク２０２内の閉鎖ホログラム・セグメント・ディレクトリ２０３中、およびホログラフィック記録層１０４内の閉鎖ホログラム・セグメント・ディレクトリ２２２の中で、「空きあり」とマークされる。別なやり方として、埋め草に使われたこの非データ・パターンには、ホログラム・セグメント中のデータに対しさらなる保護を与えることの可能な何らかのエラー訂正用コードを含めることができる。
【００２２】
「空きあり」だが閉鎖されているホログラム・セグメント２２３に対する新規のデータが着信した場合、その閉鎖ホログラム・セグメント２２３は、ホログラフィック記録層１０４から層間ブリッジ１３３を介して中間記録層１１８に回収され、再オープンされる。次いで、該新規データは、埋め草パターンの上に上書きされて、今はオープン状態のホログラム・セグメント２１３に付加される。しかる後、該ホログラム・セグメントは、該ホログラム・セグメントが満杯になるか、または最大限時間が再度超過したとき再閉鎖される。
【００２３】
この処置は、クレジット・カード産業には有益となろう。というのは、各クレジット・カード・ユーザは、所与のクレジット・カードに自分の購買額を追跡記録するオープン・ホログラム・セグメントを持つことになるからである。該オープン・ホログラム・セグメントは、各支払請求周期の開始時または支払請求周期開始後の最初の請求発生時に生成され、支払請求周期の終了時に閉鎖される。
【００２４】
ＩＩ．  ホログラム・セグメントを閉鎖する閾値容量
閾値容量を超えた場合、そのホログラム・セグメントは閉鎖され、データはホログラフィック層１０４に書込まれる。この閾値容量は、ホログラフィック・ページの中または従来型の記憶装置の中に規定しておくことができる。各ホログラフィック・ページが定められた容量を有する場合、ホログラフィック・ページ数による閾値が望ましく、整数頁数を閾値として規定する。
【００２５】
ＩＩＩ．  ユーザが発行するホログラム・セグメント閉鎖コマンド
ユーザによりホログラム・セグメント閉鎖コマンドが発行されたとき、ホログラム・セグメントが満杯でない場合、残ったスペースは埋め草され、新規データが着信すると該ホログラム・セグメントは回収され、該新規データは埋め草パターンの上に（処置Ｉと同様に）書き加えられる。また、停電、または火災やハリケーンなどの差し迫った災害に応じて、オープン・ホログラム・セグメント２１３の強制的閉鎖を発動させることもできる。
【００２６】
ＩＶ．  限定された数のオープン・ホログラム・セグメントだけを可能にする
過剰な数のホログラム・セグメント２１３が存在する場合、必要に応じ、最長時間未使用（ＬＲＵ：ｌｅａｓｔ ｒｅｃｅｎｔｌｙ ｕｓｅｄ）のホログラム・セグメントがまず閉鎖され、新しいホログラフィック・セグメントの生成を可能にする。これに換えて、オープン・ホログラム・セグメント２１３の数が過剰になると、部分的に満たされた多数のオープン・ホログラム・セグメント２１３を、少数の完全充填されたオープン・ホログラム・セグメント２１３に集約する作業が始動され、これら集約セグメントを処置Ｉに則って閉鎖するようにできる。
【００２７】
Ｖ．  データ圧縮が可能な場合、
この処置の一つのやり方として、オープン・ホログラム・セグメント２１３が、例えば容量の９０％の閾値に達するまでは、そのホログラム・セグメント中のデータを圧縮しないというやり方がある。この閾値に達したならば、追加されるデータのスペースを作るため、データはオンデマンドで圧縮される。この処置は、処置Ｉで用いられた埋め草の量を軽減するよう意図されている。
【００２８】
ＶＩ．  ファイルの全バージョンを一つのホログラム・セグメントに集約する
あるファイルの複数のバージョンを斯く保管することによって、該ファイルに加えられた変更の過去の完全な記録が可能になる。しかして、この処置は、ホログラフィックのライト・ワンス・リード・メニー（ＷＯＲＭ：ｗｒｉｔｅ−ｏｎｃｅ−ｒｅａｄ−ｍａｎｙ）の論理的形態であり、ファイルの複数のバージョンが上書きでなく追記保管される。この処置の利点は、全てのバージョンが共通の場所に格納され、ユーザは異なったバージョンを読み出すためホログラフィック媒体に何回もアクセスする必要がないことである。この処置は、財務的および法的な記録を保管する上で有用である。
【００２９】
ＶＩＩ．  ホログラム・セグメント間のミラーリング
レイド（ＲＡＩＤ：ｒｅｄｕｎｄａｎｔ ａｒｒａｙｏｆ ｉｎｄｅｐｅｎｄｅｎｔ ｄｉｓｋ）−１エミュレーションで、ファイルが２つのホログラム・セグメントの間でミラーできれば、ホログラフィック媒体から一つのホログラム・セグメントが読み出せない場合にミラーされたホログラム・セグメントを使い同一のファイルにアクセスすることができる。
【００３０】
ＶＩＩＩ．  複数のホログラム・セグメントに亘るデータのストライピング
３つ以上のホログラム・セグメント中の情報を、ＲＡＩＤ−３またはＲＡＩＤ−４エミュレーションで、一つのホログラム・セグメントに格納されたパリティを使って、あるいは、ＲＡＩＤ−５エミュレーションで、いくつかのホログラム・セグメントに亘って分散されたパリティを使って、ＲＡＩＤストライプに展開することができる。閉鎖ホログラム・ディレクトリ２２２および閉鎖ホログラム・セグメント２２３は、単一のホログラムまたはホログラムの単一の群としてホログラフィック記録層１０４に書込むことができ、新しく閉鎖されたホログラムのディレクトリ２２２は、ホスト・ディスク２０２内に格納された全体のホログラム・セグメント・ディレクトリ２０３を更新するため、ホスト２０１にコピーされる。この時点において、中間記録層１１８は、新規のオープン・セグメント２１３およびオープン・セグメント・ディレクトリ２１２用のスペースを作るために、只今閉鎖済みのホログラム・セグメントについての一切の情報の保持を止める。
【００３１】
基準２１４内の一つ以上の処置を同時に作動させることができる。基準２１４はホスト２０１内で実行できるが、ホスト２０１が処置の実行に煩わされないように、基準２１４は、ドライブ１９９内で実行されるのが望ましい。
【００３２】
ホスト２０１は、デステージ・バーチャル・トラック２０５を介し、第二ＬＵＮインタフェース１４２（図２による）を使って中間記録層１１８に、または第一ＬＵＮインタフェース１４１（図２による）を使ってホログラフィック記録層１０４に、別々に情報を書込むことができる。例えば、化石化した（静止ないし休止状態などの）データは、中間記録層１１８をバイパスして、直接にホログラフィック記録層１０４に書込むことができる。アクチブで頻繁に変更される可能性のあるデータは、まず、中間記録層１１８に書込み、この層にホログラフィック記録層１０４に対するキャッシュの役割をさせることができる。動きが休止状態と判断されたならば、そのデータを中間記録層１１８から、層間ブリッジ１３３を介してホログラフィック記録層１０４に移行することができる。
【００３３】
あるいは、ホスト２０１から、閉鎖ホログラム・セグメント２２３を、ホログラフィック層１０４に直接書込むのに問題がある場合には、そのデータをオープン・ホログラム・セグメント２１３として、ＬＵＮインタフェース１４１から層間ブリッジ１３３を介して中間記録層１１８に、一時的に書込むことができる。その後、その問題が解除されたならば、該データを閉鎖ホログラム・セグメント２２３として、再度層間ブリッジ１３３を使い、ホログラフィック記録層１０４の元来の行先に移行させることができる。
【００３４】
前述のごとく、本発明は、二重経路光記録媒体と、これにアクセスする装置および方法とを提供する。
【００３５】
本発明の例示的実施形態は、インストールされたソフトウエアを備えた完全機能するコンピュータ・システムに関連させて説明してきたが、当業者は、本発明の例示的実施形態のソフトウエア面については、さまざまな形態のコンピュータ・プログラム製品として配送することができ、本発明の例示的実施形態は、実際に配送実施のため用いる媒体の特定種類に関係なくこれらに同様に適用されることをよく理解していよう。信号担持媒体の例には、フロッピー（Ｒ）ディスク、ハード・ディスク・ドライブ、コンパクト・ディスク、集積回路デバイスなどの記録可能な種類の媒体と、デジタルおよびアナログ通信リンクなどの送信する種類の媒体とが含まれる。
【００３６】
本発明について、好適な実施形態を参照して具体的に示し説明してきたが、当業者は、本発明の範囲から逸脱することなく、これらの形態および細部にさまざまな変更を加えることができるのを理解していよう。
【図１】
2010524145.tif 000003
【図２】
2010524145.tif 000004
【図３】
2010524145.tif 000005
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
基材と、
前記基材の一つの面にスタンプされ、ランドおよび溝を備える中間記録層と、
ホログラフィック記録層と、
前記ホログラフィック記録層と前記中間記録層との間に配置されたダイクロイック・ミラー層と、
を含む二重経路光記録媒体であって、
前記中間記録層は、比較的に小さな記憶容量の書換え型データ記憶層であり、
前記ホログラフィック記録層は、比較的に大きな記憶容量の追記型データ記憶層である、
前記記録媒体。
【請求項２】
ｉ）  データは、前記ホログラフィック記録層の中に、ホログラムの形態で書込まれる、
ｉｉ）  データは、約４０５ｎｍまたは５２３ｎｍの波長を有する第一レーザー光によって、前記ホログラフィック記録層に書込むことができる、または
ｉｉｉ）  データは、約６８０ｎｍの波長を有する第二レーザー光によって、前記中間記録層に書込むことができる、
の一つ以上を満たす、請求項１に記載の記録媒体。
【請求項３】
前記中間記録層は、ホログラム・セグメントを格納するための複数のオープン・ホログラム・セグメントを含む、請求項１または２に記載の記録媒体。
【請求項４】
前記中間記録層は、オープンとなっているホログラム・セグメントを追跡記録するためのオープン・ホログラム・セグメント・ディレクトリを含み、前記中間記録層は、随意的に、前記オープン・ホログラム・セグメントの任意のセグメントの閉鎖を指定する基準を格納するためのモジュールを含む、請求項３に記載の記録媒体。
【請求項５】
前記ホログラフィック記録層は、前記オープン・ホログラム・セグメントが閉鎖された後にそれらを格納するための複数の閉鎖ホログラム・セグメントを含む、請求項３に記載の記録媒体。
【請求項６】
前記ホログラフィック記録層は、前記オープン・ホログラム・セグメント・ディレクトリが閉鎖された後それを格納するための、閉鎖ホログラム・セグメント・ディレクトリを含む、請求項４に記載の記録媒体。
【請求項７】
二重経路光記録媒体にアクセスするための装置であって、
第一論理ユニット番号（ＬＵＮ）インタフェースおよび第二ＬＵＮインタフェースと、
第一レーザー光を発生させるための、前記第一ＬＵＮインタフェースに連結された第一光モジュールと、
第二レーザー光を発生させるための、前記第二ＬＵＮインタフェースに連結された第二光モジュールと、
を含む、前記装置。
【請求項８】
ｉ）前記第一レーザー光は、約４０５ｎｍまたは５３２ｎｍの波長を有する、
ｉｉ）前記第二レーザー光は、約６８０ｎｍの波長を有する、または
ｉｉｉ）前記第一および第二光モジュールは、共通のスレッドに配置されている、
の一つを満たす、請求項７に記載の装置。
【請求項９】
前記装置は、前記第一および第二レーザー・モジュール間の通信を可能にするため、前記第一光モジュールと第二光モジュールと間に接続された層間ブリッジをさらに含む、請求項７または８に記載の装置。
【請求項１０】
前記二重経路光記録媒体は、
基材と、
前記基材の一つの面に配置され、前記第二レーザー光にアクセスされる中間記録層と、
前記第一レーザー光にアクセスされるホログラフィック記録層と、
を含む、請求項９に記載の装置。
【請求項１１】
ｉ）  前記二重経路光記録媒体は、前記ホログラフィック記録層と前記中間記録層との間に配置されたダイクロイック・ミラー層をさらに含む、
ｉｉ）  前記中間記録層は、比較的に小さな記憶容量の書換え型データ記憶層である、
ｉｉｉ）  前記ホログラフィック記録層は、比較的に大きな記憶容量の追記型データ記憶層である、または
ｉｖ）  前記層間ブリッジは、データを、前記二重経路光記録媒体の一つの記録層から別の記録層に、ホスト・コンピュータを経ることなく直接転送できるようにする、
の一つ以上を満たす、請求項１０に記載の装置。
【請求項１２】
ホスト・コンピュータと、
二重経路光記録媒体にアクセスするためのドライブと、
を含むデータ記録システムであって、
前記ドライブは、
第一論理ユニット番号（ＬＵＮ）インタフェースおよび第二ＬＵＮインタフェースと、
前記第一ＬＵＮインタフェースを介して前記ホストに連結されている第一光モジュールと、
前記第二ＬＵＮインタフェースを介して前記ホストに連結されている第二光モジュールと、
を含み、前記第一光モジュールは第一レーザー光を発生させ、前記第二光モジュールは第二レーザー光を発生させる、
前記データ記録システム。
【請求項１３】
ｉ）前記第一レーザー光は、約４０５ｎｍまたは５３２ｎｍの波長を有する、
ｉｉ）前記第二レーザー光は、約６８０ｎｍの波長を有する、
ｉｉｉ）前記第一および第二光モジュールは、共通のスレッドに配置されている、または
ｉｖ）  前記ドライブは、前記第一および第二光モジュール間の通信を可能にするため、前記第一光モジュールと第二光モジュールとの間に配置された層間ブリッジをさらに含む、
の一つ以上を満たす、請求項１２に記載のデータ記録システム。
【請求項１４】
前記二重経路光記録媒体は、
基材と、
前記基材の一つの面に配置され、前記第二レーザー光にアクセスされる中間記録層と、
前記第一レーザー光にアクセスされるホログラフィック記録層と、
を含む、請求項１２に記載のデータ記録システム。
【請求項１５】
ｉ）  前記二重経路光記録媒体は、前記ホログラフィック記録層と前記中間記録層との間に配置されたダイクロイック・ミラー層をさらに含む、
ｉｉ）  前記中間記録層は、比較的に小さな記憶容量の書換え型データ記憶層であり、前記ホログラフィック記録層は、比較的に大きな記憶容量の追記型データ記憶層である、または
ｉｉｉ）  前記層間ブリッジは、データを、前記ホログラフィック記録層と前記中間記録層との間で、前記ホスト・コンピュータを経ることなく直接転送できるようにする、
の一つ以上を満たす、請求項１４に記載のデータ記録システム。
【国際調査報告】
2010524145.tif 000006
2010524145.tif 000007
2010524145.tif 000008